(57)【要約】【課題】遠隔地に住む家族が独り暮らしの高齢者の暮らしぶり、様子を把握、確認を容易にする。【解決手段】メール機能を有する端末装置１００に、メールアドレスを登録するメール宛先登録部１１１と、メール宛先登録部によりメールアドレスが設定されたメールにメッセージを設定するメール発信文章生成部１１２と、メール宛先登録部によりメールアドレスが設定され、メール発信文章生成部によりメッセージが設定されたメールに時刻を設定する時計部１１３と、メール宛先登録部によりメールアドレスが設定され、メール発信文章生成部によりメッセージが設定され、時計部により時刻が設定されたメールを送信するメール送信部と、押下によりメール送信部にメールを送信させるワンタッチメール発信ボタン１１５とを備える。【選択図】  図２
2004320639.tif 000002
【特許請求の範囲】
【請求項１】
メール機能を有する端末装置において、
メールアドレスを登録するメール宛先登録部と、
前記メール宛先登録部によりメールアドレスが設定されたメールにメッセージを設定するメール発信文章生成部と、
前記メール宛先登録部によりメールアドレスが設定され、前記メール発信文章生成部によりメッセージが設定されたメールに時刻を設定する時計部と、
前記メール宛先登録部によりメールアドレスが設定され、前記メール発信文章生成部によりメッセージが設定され、前記時計部により時刻が設定されたメールを送信するメール送信部と、
押下により前記メール送信部にメールを送信させるワンタッチメール発信ボタンとを備えることを特徴とする端末装置。
【請求項２】
メール機能を有する端末装置において、
メールアドレスを登録するメール宛先登録部と、
前記メール宛先登録部によりメールアドレスが設定されたメールにメッセージを設定するメール発信文章生成部と、
前記メール宛先登録部によりメールアドレスが設定され、前記メール発信文章生成部によりメッセージが設定されたメールに時刻を設定する時計部と、
前記メール宛先登録部によりメールアドレスが設定され、前記メール発信文章生成部によりメッセージが設定され、前記時計部により時刻が設定されたメールを送信するメール送信部と、
前記端末装置の周囲を通る人を感知し、人の感知により、前記メール送信部にメールを送信させる人感知センサとを備えることを特徴とする端末装置。
【請求項３】
メール機能を有する端末装置において、
メールアドレスを設定するメール宛先登録部と、
前記メール宛先登録部によりメールアドレスが設定されたメールにメッセージを設定するメール発信文章生成部と、
前記メール宛先登録部によりメールアドレスが設定され、前記メール発信文章生成部によりメッセージが設定されたメールに時刻を設定する時計部と、
前記メール宛先登録部によりメールアドレスが設定され、前記メール発信文章生成部によりメッセージが設定され、前記時計部により時刻が設定されたメールを送信するメール送信部と、
ワンタッチメール発信ボタンと、
前記端末装置の周囲を通る人を感知する人感知センサと、
選択により前記ワンタッチメール発信ボタンの押下又は前記人感知センサの感知のいずれか一方により前記メール送信部にメールの送信をさせる制御部とを備えることを特徴とする端末装置。
【請求項４】
前記制御部は、前記ワンタッチメール発信ボタンの押下又は前記人感知センサの感知のいずれか一方により前記メール送信部にメールの送信をさせることを特徴とする、請求項３に記載の端末装置。
【請求項５】
前記端末装置はファクシミリ装置、携帯電話機、パーソナルコンピュータのうち少なくとも１つであることを特徴とする、請求項１乃至請求項５のいずれか１つの請求項に記載の端末装置。
【請求項６】
メール機能を有する端末装置において、
メールアドレスを設定するメール宛先登録部と、
前記メール宛先登録部によりメールアドレスが設定されたメールにメッセージを設定するメール発信文章生成部と、
前記メール宛先登録部によりメールアドレスが設定され、前記メール発信文章生成部によりメッセージが設定されたメールに時刻を設定する時計部と、
前記メール宛先登録部によりメールアドレスが設定され、前記メール発信文章生成部によりメッセージが設定され、前記時計部により時刻が設定されたメールを送信するメール送信部と、
前記端末装置の周囲を通る人を感知する第１の人感知センサと、
前記端末装置が子機を有する場合に前記子機に内蔵し、前記子機の周囲を通る人を感知する第２の人感知センサと、
選択により前記第１の人感知センサの感知及び前記第２の人感知センサの感知のいずれか一方により前記メール送信部にメールの送信をさせる制御部とを備えることを特徴とする端末装置。
【請求項７】
前記制御部は、前記第１の人感知センサの感知又は前記第２の人感知センサの感知により前記メール送信部にメールの送信をさせることを特徴とする、請求項６に記載の端末装置。
【請求項８】
端末装置のメール簡易送信方法において、
ワンタッチメール発信ボタンの押下を判断する工程と、
前記ワンタッチメール発信ボタンの押下によりメールアドレス、メッセージ、時刻をメールに設定してメールを送信する工程とを備えることを特徴とする端末装置のメール簡易送信方法。
【請求項９】
端末装置のメール簡易送信方法において、
前記端末装置の周囲を通る人を感知する工程と、
前記端末装置の周囲を通る人の感知によりメールアドレス、メッセージ、時刻をメールに設定してメールを送信する工程とを備えることを特徴とする端末装置のメール簡易送信方法。
【請求項１０】
端末装置のメール簡易送信方法において、
ワンタッチメール発信ボタンの押下を判断する工程と、
前記端末装置の周囲を通る人を感知する工程と、
前記ワンタッチメール発信ボタンの押下の判断又は前記端末装置の周囲を通る人の感知によりメールアドレス、メッセージ、時刻をメールに設定してメールを送信する工程とを備えることを特徴とする端末装置のメール簡易送信方法。
【発明の詳細な説明】
【０００１】
【発明が属する技術分野】
本発明はメール機能を有するファクシミリ装置、携帯電話機、マイクロコンピュータを含む端末装置に関する。特に、本発明は、独り暮らしの高齢者によるメール送信が容易に行われるメール簡易送信方法に関する。
【０００２】
【従来の技術】
従来のインターネット電話システムでは、各種インターネット制御装置のキーボード等入力装置の代わりに電話機を用い、電話機に簡単な機構を付加し、高齢者、主婦、ハンディキャップのある方でも、電話操作感覚・ＴＶのリモコン操作感覚でインターネットを楽しめるようにしている（例えば、特許文献１参照。）。
【０００３】
さらに、従来のファクシミリ装置では、ローカルエリアネットワーク又はインターネットの電子メールサーバから定期的に又は手動操作に応答して電子メールデータを引き出す構成と、引き出し電子メールデータの内容から解釈可能な部分を画像データに展開して出力する構成を設け、コンピュータの操作に不慣れなユーザも、簡単な操作で電子メールサービスを利用できるようにしている（例えば、特許文献２参照。）。
【０００４】
さらに、従来のサーバ装置、発信サービス提供方法、発信サービス提供プログラムを記録した媒体および発信サービス提供システムでは、利用者（高齢者）を契約者として登録するとともに、この契約者の安否確認のためのリクエストに基づく発信情報を発信する発信先（家族）の電話番号、ファクシミリ番号、電子メールアドレスを予め登録し、高齢者がインターネット網に接続している高齢者宅からブラウザにて表示される各種ボタンを使用することによってリクエストを行うと、このリクエストは適宜発信先に発信されるようにしている（例えば、特許文献３参照。）。
【０００５】
【特許文献１】
特開２００２−００９８３１（段落０００８〜００１２、図１）
【特許文献２】
特開平１０−１６４３０８号公報（段落０００７〜０００８、図１）
【特許文献３】
特開２００２−１０９０２６（段落００３２〜００３４、図１）
【０００６】
ところで、高齢者にはパーソナルコンピュータ、携帯電話、ファクシミリ装置等の操作に不慣れな高齢者が多く、遠隔地に住む家族が独り暮らしの高齢者の暮らしぶり、様子を把握、確認するには、毎度、毎度本人に直接電話をかけるなどして行っていた。
【０００７】
【発明が解決しようとする課題】
しかしながら、独り暮らしの高齢者に対して電話をかけ忘れると、遠隔地に住む家族が独り暮らしの高齢者の暮らしぶり、様子を把握、確認することができないという問題があった。
したがって、本発明は上記問題点に鑑みて、遠隔地に住む家族が独り暮らしの高齢者の暮らしぶり、様子を把握、確認を容易にすることができる端末装置及びそのメール簡易送信方法を提供することを目的とする。
【０００８】
【課題を解決するための手段】
本発明は前記問題点を解決するために、メール機能を有する端末装置において、メールアドレスを登録するメール宛先登録部と、前記メール宛先登録部によりメールアドレスが設定されたメールにメッセージを設定するメール発信文章生成部と、前記メール宛先登録部によりメールアドレスが設定され、前記メール発信文章生成部によりメッセージが設定されたメールに時刻を設定する時計部と、前記メール宛先登録部によりメールアドレスが設定され、前記メール発信文章生成部によりメッセージが設定され、前記時計部により時刻が設定されたメールを送信するメール送信部と、押下により前記メール送信部にメールを送信させるワンタッチメール発信ボタンとを備えることを特徴とする端末装置を提供する。
【０００９】
この手段により、独り暮らしの高齢者がメールの使い方を習熟して操作することができなくても、端末装置のワンタッチメール発信ボタンの押下によりメールを送信することが可能になり、遠隔地に住む家族が独り暮らしの高齢者の暮らしぶり、様子を容易に把握、確認することが可能になる。
さらに、本発明は、メール機能を有する端末装置において、メールアドレスを登録するメール宛先登録部と、前記メール宛先登録部によりメールアドレスが設定されたメールにメッセージを設定するメール発信文章生成部と、前記メール宛先登録部によりメールアドレスが設定され、前記メール発信文章生成部によりメッセージが設定されたメールに時刻を設定する時計部と、前記メール宛先登録部によりメールアドレスが設定され、前記メール発信文章生成部によりメッセージが設定され、前記時計部により時刻が設定されたメールを送信するメール送信部と、前記端末装置の周囲を通る人を感知し、人の感知により、前記メール送信部にメールを送信させる人感知センサとを備えることを特徴とする端末装置を提供する。
【００１０】
この手段により、独り暮らしの高齢者がメールの使い方を習熟して操作することができなくても、端末装置の人感知センサの感知によりメールを送信することが可能になり、遠隔地に住む家族が独り暮らしの高齢者の暮らしぶり、様子を容易に把握、確認することが可能になる。
さらに、本発明は、メール機能を有する端末装置において、メールアドレスを登録するメール宛先登録部と、前記メール宛先登録部によりメールアドレスが設定されたメールにメッセージを設定するメール発信文章生成部と、前記メール宛先登録部によりメールアドレスが設定され、前記メール発信文章生成部によりメッセージが設定されたメールに時刻を設定する時計部と、前記メール宛先登録部によりメールアドレスが設定され、前記メール発信文章生成部によりメッセージが設定され、前記時計部により時刻が設定されたメールを送信するメール送信部と、ワンタッチメール発信ボタンと、前記端末装置の周囲を通る人を感知する人感知センサと、選択により前記ワンタッチメール発信ボタンの押下又は前記人感知センサの感知のいずれか一方により前記メール送信部にメールの送信をさせる制御部とを備えることを特徴とする端末装置を提供する。
【００１１】
さらに、前記制御部は、前記ワンタッチメール発信ボタンの押下又は前記人感知センサの感知のいずれか一方により前記メール送信部にメールの送信をさせる。
これらの手段により、独り暮らしの高齢者がメールの使い方を習熟して操作することができなくても、選択により、端末装置のワンタッチメール発信ボタンの押下により、又は、端末装置の人感知センサの感知によりメールを送信することが可能になり、遠隔地に住む家族が独り暮らしの高齢者の暮らしぶり、様子を容易に把握、確認することが可能になる。
【００１２】
さらに、前記端末装置はファクシミリ装置、携帯電話機、パーソナルコンピュータのうち少なくとも１つである。
この手段により、ファクシミリ装置、携帯電話機、パーソナルコンピュータ１２０のメール送受信機能を用いて、遠隔地に住む家族が独り暮らしの高齢者の暮らしぶり、様子を容易に把握、確認することが可能になり、適用範囲が広がる。
【００１３】
さらに、本発明は、メール機能を有する端末装置において、メールアドレスを登録するメール宛先登録部と、前記メール宛先登録部によりメールアドレスが設定されたメールにメッセージを設定するメール発信文章生成部と、前記メール宛先登録部によりメールアドレスが設定され、前記メール発信文章生成部によりメッセージが設定されたメールに時刻を設定する時計部と、前記メール宛先登録部によりメールアドレスが設定され、前記メール発信文章生成部によりメッセージが設定され、前記時計部により時刻が設定されたメールを送信するメール送信部と、前記端末装置の周囲を通る人を感知する第１の人感知センサと、前記端末装置が子機を有する場合に前記子機に内蔵し、前記子機の周囲を通る人を感知する第２の人感知センサと、選択により前記第１の人感知センサの感知及び前記第２の人感知センサの感知のいずれか一方により前記メール送信部にメールの送信をさせる制御部とを備えることを特徴とする端末装置を提供する。
【００１４】
さらに、前記制御部は、前記第１の人感知センサの感知又は前記第２の人感知センサの感知により前記メール送信部にメールの送信をさせる。
これらの手段により、独り暮らしの高齢者がメールの使い方を習熟して操作することができなくても、選択により、親機の端末装置の人感知センサの感知により又は子機に内蔵した人感知センサによりメールを送信することが可能になり、親機の端末装置に付属する子機に内蔵した人感知センサにより、子機の設置のしやすさの観点からも遠隔地に住む家族が独り暮らしの高齢者の暮らしぶり、様子を容易に把握、確認することが可能になる。
【００１５】
さらに、本発明は、端末装置のメール簡易送信方法において、ワンタッチメール発信ボタンの押下を判断する工程と、前記ワンタッチメール発信ボタンの押下によりメールアドレス、メッセージ、時刻をメールに設定してメールを送信する工程とを備えることを特徴とする端末装置のメール簡易送信方法を提供する。
この手段により、上記発明と同様に、独り暮らしの高齢者がメールの使い方を習熟して操作することができなくても、端末装置のワンタッチメール発信ボタンの押下によりメールを送信することが可能になり、遠隔地に住む家族が独り暮らしの高齢者の暮らしぶり、様子を容易に把握、確認することが可能になる。
【００１６】
さらに、本発明は、端末装置のメール簡易送信方法において、前記端末装置の周囲を通る人を感知する工程と、前記端末装置の周囲を通る人の感知によりメールアドレス、メッセージ、時刻をメールに設定してメールを送信する工程とを備えることを特徴とする端末装置のメール簡易送信方法を提供する。
この手段により、上記発明と同様に、独り暮らしの高齢者がメールの使い方を習熟して操作することができなくても、端末装置の人感知センサの感知によりメールを送信することが可能になり、遠隔地に住む家族が独り暮らしの高齢者の暮らしぶり、様子を容易に把握、確認することが可能になる。
【００１７】
さらに、本発明は、端末装置のメール簡易送信方法において、ワンタッチメール発信ボタンの押下を判断する工程と、前記端末装置の周囲を通る人を感知する工程と、前記ワンタッチメール発信ボタンの押下の判断又は前記端末装置の周囲を通る人の感知によりメールアドレス、メッセージ、時刻をメールに設定してメールを送信する工程とを備えることを特徴とする端末装置のメール簡易送信方法を提供する。
【００１８】
この手段により、上記発明と同様に、独り暮らしの高齢者がメールの使い方を習熟して操作することができなくても、選択により、端末装置のワンタッチメール発信ボタンの押下により、又は、端末装置の人感知センサの感知によりメールを送信することが可能になり、遠隔地に住む家族が独り暮らしの高齢者の暮らしぶり、様子を容易に把握、確認することが可能になる。
【００１９】
【発明の実施の形態】
以下、本発明の実施の形態について図面を参照して説明する。
図１は本発明に係るメール機能付きファクシミリ装置の概略接続構成を示す図である。なお、全図を通して同一の構成要素には同一の番号、符号を付して説明を行う。
本図に示すように、メール機能付きファクシミリ（ＦＡＸ）装置１００の端末装置には公衆回線１０１、インターネット１０２に接続され、メール機能付きファクシミリ装置１００は公衆回線１０１を経由してファクシミリデータの送受信を行い、インターネット１０２を経由してメールの送受信を行う。
【００２０】
さらに、メール機能付きファクシミリ装置１００にはメール簡易送信部１１０が設けられ、メール簡易送信部１１０は遠隔地に住む家族が独り暮らしの高齢者の暮らしぶり、様子を以下のように把握、確認する。
図２は図１におけるメール簡易送信部１１０の概略構成を示すブロック図である。
【００２１】
本図に示すように、メール簡易送信部１１０にはメール宛先登録部１１１が設けられ、メール宛先登録部１１１には高齢者の家族等のメールアドレスが登録される。
さらに、メール簡易送信部１１０にはメール発信文章生成部１１２が設けられ、メール発信文章生成部１１２には高齢者から家族等へのメッセージが設定される。
さらに、メール簡易送信部１１０には時計部１１３が設けられ、時計部１１３は高齢者から家族等へのメールに時刻を設定する。
【００２２】
さらに、メール宛先登録部１１１、メール発信文章生成部１１２、時計部１１３には入力部１１４が接続され、入力部１１４からメール宛先登録部１１１にメールアドレスが入力され、メール発信文章生成部１１２にメッセージが入力され、時計部１１３に時刻が設定される。
さらに、メール簡易送信部１１０にはワンタッチメール発信ボタン１１５が設けられ、ワンタッチメール発信ボタン１１５は押下によりメールにメールアドレス、メッセージ、時刻を設定し、メールの送信を指示する。
【００２３】
さらに、メール簡易送信部１１０にはメール送信部１１６が設けられ、メール送信部１１６はワンタッチメール発信ボタン１１５の指示により設定されたメールの送信を行う。
さらに、メール簡易送信部１１０には制御部１１７が設けられ、制御部１１７は、メール宛先登録部１１１、メール発信文章生成部１１２、時計部１１３、入力部１１４、ワンタッチメール発信ボタン１１５、メール送信部１１６の制御を行う。
【００２４】
図３は図２における制御部１１７の制御を行うフローチャートである。
ステップＳ２０１において、ステップＳ２０１において、制御部１１７ではワンタッチメール発信ボタン１１５の押下を判断する。
ステップＳ２０２において、制御部１１７ではワンタッチメール発信ボタン１１５の押下により、メールに対してメール宛先登録部１１１からメールアドレスを設定する。
【００２５】
ステップＳ２０３において、制御部１１７ではメールアドレスの設定されたメールにメール発信文章生成部１１２からメッセージを設定する。
ステップＳ２０４において、制御部１１７ではメールアドレス、メッセージの設定されたメールに時計部１１３から時刻を設定する。
ステップＳ２０５において、メールアドレス、メッセージ、時刻の設定されたメールを送信し、処理を終了する。
【００２６】
このようにして、独り暮らしの高齢者がメールの使い方を習熟して操作することができなくても、高齢者がメール機能付きファクシミリ装置１００のワンタッチメール発信ボタン１１５を押下するだけでメールを送信することが可能になり、遠隔地に住む家族が独り暮らしの高齢者の暮らしぶり、様子を容易に把握、確認することが可能になる。
【００２７】
併せて、独り暮らしの高齢者に対して電話のかけ忘れの防止に役立ち、さらに、メールという手段を使うことにより、電話をかけることによる時間の高速、電話代の削減効果を得ることが可能になる。
例えば、遠隔地に住む家族が独り暮らしの高齢者から受け取るメールを毎日、朝、夜１回ずつ程度の頻度でよければ、メール機能付きファクシミリ装置１００を使用する独り暮らしの高齢者に朝、夜１回程度ワンタッチメール発信ボタン１１５を押下してメールを送信してもらうことが可能である。
【００２８】
図４は本発明の第１の変形例に係るメール簡易送信部１１０の概略構成を示すブロック図である。
本図に示すように、図２と比較して、メール簡易送信部１１０には、ワンタッチメール発信ボタン１１５に代わり、人感知センサ１１８が設けられ、人感知センサ１１８は、例えば、人間から出る赤外線を感知する赤外線センサであり、メール機能付きファクシミリ装置１００の周囲を通る人を感知し、制御部１１７により制御される。
【００２９】
図５は図４における制御部１１７の制御を行うフローチャートである。本図に示すように、図３と比較して、ステップＳ２１１において、制御部１１７では人感知センサ１１８の感知を判断する。
ステップＳ２１２〜ステップＳ２１５において、制御部１１７では人感知センサ１１８の感知により、メールに対してメールアドレス、メッセージ、時刻を設定して送信を行う。
【００３０】
このようにして、独り暮らしの高齢者がメールの使い方を習熟して操作することができなくても、メール機能付きファクシミリ装置１００の人感知センサ１１８の感知により設定されたメールを送信することが可能になり、すなわち、高齢者がメール機能付きファクシミリ装置１００の周囲に立つだけで、遠隔地に住む家族が独り暮らしの高齢者の暮らしぶり、様子を容易に把握、確認することが可能になる。
例えば、詳細に独り暮らしの高齢者の暮らしぶり、様子を把握したい場合には、人感知センサ１１８が感知する毎に自動でメール送信することが可能になる。
【００３１】
さらに、詳細には高齢者宅のトイレ前にメール機能付きファクシミリ装置１００を設置すれば、独り暮らしの高齢者がその日に何度トイレに行ったかを遠隔地の家族が把握することが可能になる。
併せて、独り暮らしの高齢者に対して電話のかけ忘れの防止に役立ち、さらに、メールという手段を使うことにより、電話をかけることによる時間の拘束からの開放、電話代の削減効果を得ることが可能になる。
図６は本発明の第２の変形例に係るメール簡易送信部１１０の概略構成を示すブロック図である。
【００３２】
本図に示すように、図２と比較して、メール簡易送信部１１０には、ワンタッチメール発信ボタン１１５、人感知センサ１１８が設けられ、制御部１１７により制御される。
入力部１１４は、遠隔地の家族宛へのメール送信時に、独り暮らしの高齢者がメール機能付きファクシミリ装置１００のワンタッチメール発信ボタン１１５を押す毎に設定されたメール送信する場合と、人感知センサ１１８が感知する毎に設定されたメール送信する場合のいずれかを選択することを予め制御部１１７に通知しておく。
【００３３】
図７は図６における制御部１１７の制御を行うフローチャートである。本図に示すように、図３と比較して、ステップＳ２２１において、制御部１１７ではワンタッチメール発信ボタン１１５の押下による発信が選択されているか否かを判断する。
ステップＳ２２２において、ワンタッチメール発信ボタン１１５の押下による発信が選択されていない場合には人感知センサ１１８の発信が選択されているか否かを判断する。
【００３４】
ステップＳ２２３において、ワンタッチメール発信ボタン１１５の押下による発信が選択されている場合にはワンタッチメール発信ボタン１１５の押下を判断する。
ステップＳ２２４において、人感知センサ１１８の発信が選択されている場合には人感知センサ１１８の感知を判断する。
【００３５】
ステップＳ２２５において、ワンタッチメール発信ボタン１１５の押下が行われていない場合には人感知センサ１１８の感知の有無に拘らず、設定されたメールの送信が行われず、処理を終了する。
ステップＳ２２６において、人感知センサ１１８の感知が行われていない場合にはワンタッチメール発信ボタン１１５の押下の有無に拘らず、設定されたメールの送信が行われず、処理を終了する。
【００３６】
ステップＳ２２７〜ステップＳ２３０において、メールアドレス、メッセージ、時刻の設定されたメールを送信し、処理を終了する。
このようにして、独り暮らしの高齢者がメールの使い方を習熟して操作することができなくても、選択により、メール機能付きファクシミリ装置１００のワンタッチメール発信ボタン１１５の押下により、又は、メール機能付きファクシミリ装置１００の人感知センサ１１８の感知により設定されたメールを送信することが可能になり、遠隔地に住む家族が独り暮らしの高齢者の暮らしぶり、様子を容易に把握、確認することが可能になる。
【００３７】
以上のように、独り暮らしの高齢者がメール機能付きファクシミリ装置１００のワンタッチメール発信ボタン１１５を押す毎に設定されたメールを送信する場合と、人感知センサ１１８が感知する毎に設定されたメールを送信する場合のいずれかを選択することなく、以下のように、設定されたメールを送信するようにしてもよい。
図８は本発明の第３の変形例に係る制御部１１７の制御を行うフローチャートである。
【００３８】
ステップＳ２３１において、ワンタッチメール発信ボタン１１５の押下を判断する。
ステップＳ２３２において、ワンタッチメール発信ボタン１１５の押下が行われていないと判断した場合には人感知センサ１１８の感知を判断する。人感知センサ１１８の感知が行われない場合には処理を終了する。
【００３９】
ステップＳ２３３〜ステップＳ２３６において、ワンタッチメール発信ボタン１１５の押下又は人感知センサ１１８の感知が行われた場合には、メールアドレス、メッセージ、時刻の設定されたメールを送信し、処理を終了する。
このようにして、独り暮らしの高齢者がメールの使い方を習熟して操作することができなくても、メール機能付きファクシミリ装置１００のワンタッチメール発信ボタン１１５の押下により、又は、メール機能付きファクシミリ装置１００の人感知センサ１１８の感知により設定されたメールを送信することが可能になり、遠隔地に住む家族が独り暮らしの高齢者の暮らしぶり、様子を容易に把握、確認することが可能になる。
【００４０】
図９は本発明の第４の変形例に係るメール機能付きファクシミリ装置の概略接続構成を示す図である。
本図に示すように、図１と比較して、メール機能付きファクシミリ装置１００の親機には子機（コードレス電話機）１００Ａが付属しており、子機１００Ａは電話をかけることが可能である。
【００４１】
子機１００Ａには人感知センサ１１８Ａが内蔵され、人感知センサ１１８Ａは、人感知センサ１１８と同様に、子機１００Ａの周囲を通る人を感知し、メール簡易送信部１１０の制御部１１７により制御される。
メール簡易送信部１１０の入力部１１４は、遠隔地の家族宛へのメール送信時に、独り暮らしの高齢者が親機のメール機能付きファクシミリ装置１００の人感知センサ１１８が感知する毎に設定されたメールを送信する場合と、子機１００Ａの人感知センサ１１８Ａが感知する毎に設定されたメールを送信する場合のいずれかを選択することを予め制御部１１７に通知しておく。
【００４２】
図１０は図９におけるメール機能付きファクシミリ装置１００でメール簡易送信部１１０の制御部１１７の制御を行うフローチャートである。本図に示すように、図３と比較して、ステップＳ２４１において、制御部１１７では親機のメール簡易送信部１１０で人感知センサ１１８の感知による発信が選択されているか否かを判断する。
【００４３】
ステップＳ２４２において、親機のメール機能付きファクシミリ装置１００で人感知センサ１１８の感知による発信が選択されていない場合には子機１００Ａの人感知センサ１１８Ａの感知による発信が選択されているか否かを判断する。ステップＳ２４３において、親機のメール機能付きファクシミリ装置１００で人感知センサ１１８の感知による発信が選択されている場合には親機のメール機能付きファクシミリ装置１００で人感知センサ１１８の感知を判断する。
【００４４】
ステップＳ２４４において、子機１００Ａの人感知センサ１１８Ａの感知による発信が選択されている場合には子機１００Ａの人感知センサ１１８Ａの感知を判断する。
ステップＳ２４５において、親機のメール機能付きファクシミリ装置１００で人感知センサ１１８の感知が行われていない場合には子機１００Ａの人感知センサ１１８Ａの感知の有無に拘らず、設定されたメールの送信が行われず、処理を終了する。
【００４５】
ステップＳ２４６において、子機１００Ａの人感知センサ１１８Ａの感知が行われていない場合には親機のメール機能付きファクシミリ装置１００で人感知センサ１１８の感知の有無に拘らず、設定されたメールの送信が行われず、処理を終了する。
ステップＳ２４７〜ステップＳ２５０において、メールアドレス、メッセージ、時刻の設定されたメールを送信し、処理を終了する。
【００４６】
このようにして、独り暮らしの高齢者がメールの使い方を習熟して操作することができなくても、選択により、親機のメール機能付きファクシミリ装置１００の人感知センサ１１８の感知により又は子機１００Ａに内蔵した人感知センサ１１８Ａにより設定されたメールを送信することが可能になり、親機のメール機能付きファクシミリ装置１００に付属する子機１００Ａに内蔵した人感知センサ１１８Ａにより、子機１００Ａの設置のしやすさの観点からも遠隔地に住む家族が独り暮らしの高齢者の暮らしぶり、様子を容易に把握、確認することが可能になる。
【００４７】
以上のように、親機のメール機能付きファクシミリ装置１００の人感知センサ１１８が感知する毎に設定されたメールを送信する場合と、子機１００Ａの人感知センサ１１８Ａが感知する毎に設定されたメールを送信する場合のいずれかを選択することなく、以下のように、メール送信を行うようにしてもよい。
図１１は本発明の第５の変形例に係る制御部１１７の制御を行うフローチャートである。
【００４８】
ステップＳ２５１において、親機のメール機能付きファクシミリ装置１００の人感知センサ１１８の感知を判断する。
ステップＳ２５２において、親機のメール機能付きファクシミリ装置１００の人感知センサ１１８の感知が行われていないと判断した場合には子機１００Ａの人感知センサ１１８Ａの感知を判断する。子機１００Ａの人感知センサ１１８Ａの感知が行われない場合には処理を終了する。
【００４９】
ステップＳ２５３〜ステップＳ２５６において、ワンタッチメール発信ボタン１１５の押下又は人感知センサ１１８の感知が行われた場合には、メールアドレス、メッセージ、時刻の設定されたメールを送信し、処理を終了する。
このようにして、独り暮らしの高齢者がメールの使い方を習熟して操作することができなくても、親機のメール機能付きファクシミリ装置１００の人感知センサ１１８の感知により、又は、子機１００Ａの人感知センサ１１８Ａの感知により設定されたメールを送信することが可能になり、遠隔地に住む家族が独り暮らしの高齢者の暮らしぶり、様子を容易に把握、確認することが可能になる。
【００５０】
図１２は本発明の第６の変形例に係るパーソナルコンピュータの概略接続構成を示す図である。
本図に示すように、図１と比較して、パーソナルコンピュータ１２０の端末装置がインターネット１０２に接続され、パーソナルコンピュータ１２０はメール簡易送信部１１０を備える。メール簡易送信部１１０ではパーソナルコンピュータ１２０のメール送受信機能を用いて、遠隔地に住む家族が独り暮らしの高齢者の暮らしぶり、様子を容易に把握、確認することが可能になり、適用範囲が広がる。
【００５１】
図１３は本発明の第７の変形例に係る携帯電話機の概略接続構成を示す図である。
本図に示すように、図１と比較して、携帯電話機１３０が基地局１０３と無線で接続され、携帯電話機１３０の端末装置はメール簡易送信部１１０を備える。メール簡易送信部１１０では携帯電話機１３０のメール送受信機能を用いて、遠隔地に住む家族が独り暮らしの高齢者の暮らしぶり、様子を容易に把握、確認することが可能になり、適用範囲が広がる。
【００５２】
【発明の効果】
以上説明したように、本発明によれば、ワンタッチメール発信ボタンの押下を判断し、ワンタッチメール発信ボタンの押下によりメールアドレス、メッセージ、時刻をメールに設定してメールを送信するようにしたので、独り暮らしの高齢者がメールの使い方を習熟して操作することができなくても、端末装置のワンタッチメール発信ボタンの押下により設定されたメールを送信することが可能になり、遠隔地に住む家族が独り暮らしの高齢者の暮らしぶり、様子を容易に把握、確認することが可能になる。
【００５３】
さらに、端末装置の周囲を通る人を感知し、端末装置の周囲を通る人の感知によりメールアドレス、メッセージ、時刻をメールに設定してメールを送信するようにしたので、独り暮らしの高齢者がメールの使い方を習熟して操作することができなくても、端末装置の人感知センサの感知により設定されたメールを送信することが可能になり、遠隔地に住む家族が独り暮らしの高齢者の暮らしぶり、様子を容易に把握、確認することが可能になる。
【００５４】
さらに、ワンタッチメール発信ボタンの押下を判断する判断し、端末装置の周囲を通る人を感知し、ワンタッチメール発信ボタンの押下の判断又は端末装置の周囲を通る人の感知によりメールアドレス、メッセージ、時刻をメールに設定してメールを送信するようにしたので、独り暮らしの高齢者がメールの使い方を習熟して操作することができなくても、選択により、端末装置のワンタッチメール発信ボタンの押下により、又は、端末装置の人感知センサの感知により設定されたメールを送信することが可能になり、遠隔地に住む家族が独り暮らしの高齢者の暮らしぶり、様子を容易に把握、確認することが可能になる。
【図面の簡単な説明】
【図１】本発明に係るメール機能付きファクシミリ装置の概略接続構成を示す図である。
【図２】図１におけるメール簡易送信部１１０の概略構成を示すブロック図である。
【図３】図２における制御部１１７の制御を行うフローチャートである。
【図４】本発明の第１の変形例に係るメール簡易送信部１１０の概略構成を示すブロック図である。
【図５】図４における制御部１１７の制御を行うフローチャートである。
【図６】本発明の第２の変形例に係るメール簡易送信部１１０の概略構成を示すブロック図である。
【図７】図６における制御部１１７の制御を行うフローチャートである。
【図８】本発明の第３の変形例に係る制御部１１７の制御を行うフローチャートである。
【図９】本発明の第４の変形例に係るメール機能付きファクシミリ装置の概略接続構成を示す図である。
【図１０】図９におけるメール機能付きファクシミリ装置１００でメール簡易送信部１１０の制御部１１７の制御を行うフローチャートである。
【図１１】本発明の第５の変形例に係る制御部１１７の制御を行うフローチャートである。
【図１２】本発明の第６の変形例に係るパーソナルコンピュータの概略接続構成を示す図である。
【図１３】本発明の第７の変形例に係る携帯電話機の概略接続構成を示す図である。
【符号の説明】
１００…メール機能付きファクシミリ装置
１００Ａ…子機
１０１…公衆回線
１０２…インターネット
１０３…基地局
１１０…メール簡易送信部
１１１…メール宛先登録部
１１２…メール発信文章生成部
１１３…時計部
１１４…入力部
１１５…ワンタッチメール発信ボタン
１１６…メール送信部
１１７…制御部
１１８、１１８Ａ…人感知センサ
１２０…パーソナルコンピュータ
１３０…携帯電話機
【図１】
2004320639.tif 000003
【図２】
2004320639.tif 000004
【図３】
2004320639.tif 000005
【図４】
2004320639.tif 000006
【図５】
2004320639.tif 000007
【図６】
2004320639.tif 000008
【図７】
2004320639.tif 000009
【図８】
2004320639.tif 000010
【図９】
2004320639.tif 000011
【図１０】
2004320639.tif 000012
【図１１】
2004320639.tif 000013
【図１２】
2004320639.tif 000014
【図１３】
2004320639.tif 000015